(57)【要約】【課題】輝度ムラの発生を抑制することができる照明器具を提供する。【解決手段】環形蛍光灯２０の内側スペース４４に平面らせん形蛍光灯３０を配設したので、点灯装置４１、４２により環形蛍光灯２０および平面らせん形蛍光灯３０を点灯させた際に、環形蛍光灯２０の内側に生じていた暗い部分を平面らせん形蛍光灯３０によって明るく照らすことができ、透過カバー４３を透過する照明光の輝度ムラの発生を抑制することができる。【選択図】図１
2009170255.tif 000002
【特許請求の範囲】
【請求項１】
環形蛍光灯と、
平面らせん形蛍光灯と、
前記各蛍光灯を駆動させる点灯装置と、
前記各蛍光灯を覆うように装着され照明光を透過させる透過カバーとを備えた照明器具であって、
前記環形蛍光灯の内側のスペースに前記平面らせん形蛍光灯を配設したことを特徴とする照明器具。
【請求項２】
前記環形蛍光灯と前記平面らせん形蛍光灯を同一平面上に配設したことを特徴とする請求項１記載の照明器具。
【請求項３】
前記環形蛍光灯のソケット位置の内側に対向する場所以外の場所に前記平面らせん形蛍光灯のソケットを配設したことを特徴とする請求項1または２記載の照明器具。
【発明の詳細な説明】
【技術分野】
【０００１】
本発明は、環形蛍光灯と平面らせん形蛍光灯を用いた照明器具に関するものである。
【背景技術】
【０００２】
従来より、ある程度広範囲にわたって明るさを確保したい場合に、Ｗ数が異なる環形蛍光灯を同心円状に配設することが行われている。このような場合には、通常、外側に高Ｗの蛍光灯を配し、内側に低Ｗの蛍光灯を配することが行われている。
しかしながら、前述したような照明器具においては、環形蛍光灯に囲まれる中央のスペースは発光しないため暗くなっており、この影が透過カバーに映り込んで輝度ムラが生じるという問題があった。
そこで、内側の環形蛍光灯の内側、すなわち中央部に別の種類の光源を設けることが行われている（例えば特許文献１参照）。
【特許文献１】特開２００４−１７１９６３号公報（第１図）
【発明の開示】
【発明が解決しようとする課題】
【０００３】
しかしながら、前述した特許文献１に記載の照明器具においては、中央部の影を防止して輝度ムラを無くす効果はあるものの、別の種類の光源を設けているため、器具の大型化を招くとともに、透過カバーに映る照明光の感じが異なるため、輝度ムラを生じるという問題がある。また、環形蛍光灯のソケット部分は発光しないため暗くなっており、この影が透過カバーに映り込んで輝度ムラが生じるというという問題があった。
【０００４】
本発明は、従来の問題を解決するためになされたもので、コンパクトで輝度ムラの発生を抑制することができる照明器具を提供することを目的とする。
【課題を解決するための手段】
【０００５】
本発明の照明器具は、環形蛍光灯と、平面らせん形蛍光灯と、前記各蛍光灯を駆動させる点灯装置と、前記各蛍光灯を覆うように装着され照明光を透過させる透過カバーとを備えた照明器具であって、前記環形蛍光灯の内側のスペースに前記平面らせん形蛍光灯を配設した構成を有している。
【０００６】
この構成により、環形蛍光灯の内側スペースに同様の照明光を発する平面らせん形蛍光灯を配設したので、点灯装置により環形蛍光灯および平面らせん形蛍光灯を点灯させた際に、環形蛍光灯の内側に生じていた暗い部分を平面らせん形蛍光灯によって明るく照らすことができ、透過カバーを透過する照明光の輝度ムラの発生を抑制することができる。また、環形蛍光灯の内側スペースに平面らせん形蛍光灯を配したので、照明器具の大型化を回避することができる。
【０００７】
また、本発明の照明器具は、前記環形蛍光灯と前記平面らせん形蛍光灯を同一平面上に配設した構成を有している。
【０００８】
この構成により、環形蛍光灯と平面らせん形蛍光灯を同一平面上に配設したので、平面らせん形蛍光灯のソケットに対応する透過カバーには、外側からは環形蛍光灯からの照明光が照射され、内側からは平面らせん形蛍光灯の照明光が照射されるので、透過カバーを透過する照明光の輝度ムラを無くすことができる。
【０００９】
さらに、本発明の照明器具は、前記環形蛍光灯のソケット位置の内側に対向する場所以外の場所に前記平面らせん形蛍光灯のソケットを配設した構成を有している。
【００１０】
この構成により、環形蛍光灯のソケット位置の内側に対向する場所以外の場所に平面らせん形蛍光灯のソケットを配設したので、透過カバーにおいて照明光を発しないソケットに対応する部分には、互いに他の蛍光灯から照明光が照射され、透過カバーを透過する照明光の輝度ムラの発生を抑制することができる。
【発明の効果】
【００１１】
本発明は、環形蛍光灯の内側スペースに平面らせん形蛍光灯を配設したので、点灯装置により環形蛍光灯および平面らせん形蛍光灯を点灯させた際に、環形蛍光灯の内側に生じていた暗い部分を平面らせん形蛍光灯によって明るく照らすことができ、透過カバーを透過する照明光の輝度ムラの発生を抑制することができるという効果を有する照明器具を提供することができるものである。
【発明を実施するための最良の形態】
【００１２】
以下、本発明の第１実施形態の照明器具について、図面を用いて説明する。
図１（Ａ）は本発明の第１実施形態にかかる照明器具を下方から見た平面図、図１（Ｂ）は図１（Ａ）中Ｂ−Ｂ位置の断面図である。
【００１３】
図１に示すように、本発明の第１実施形態にかかる照明器具１０は、例えば天井等の壁面１１に取付けて用いることができるものであり、例えば円形の器具本体４０には、光源として、環形蛍光灯２０と、平面らせん形蛍光灯３０とを有し、環形蛍光灯２０を駆動させる点灯装置４１および平面らせん形蛍光灯３０を駆動させる点灯装置４２が設けられている。また、器具本体４０の前面には、各蛍光灯２０、３０を覆うように装着され、照明光を透過させる透明または半透明の樹脂（例えば、アクリル）からなる円形ドーム状の透過カバー４３を備えている。そして、平面らせん形蛍光灯３０は、環形蛍光灯２０の内側のスペース４４に配設されている。
【００１４】
環形蛍光灯２０は、図１（Ａ）に示すように、例えば、同一平面上に配された同心円の二重の発光管２１、２２が一体的に設けられており、両発光管２１、２２の端部にはソケット２３が取付けられて、全体として無端環状に形成されている。従って、環形蛍光灯２０の内側には、スペース４４が形成されることになる。なお、ソケット２３は、点灯装置４１に接続されて電力を供給される。また、環形蛍光灯２０は、器具本体４０に設けられているランプ支持バネ（図示省略）によって取付けられている。
【００１５】
また、平面らせん形蛍光灯３０は、図１（Ａ）に示すように、管状の放電路が長手方向中央部３１ａを始点として同一平面に沿って渦巻状に旋回された発光管３１を有しており、環形蛍光灯２０内側のスペース４４に収容されるように全体が小径のらせん形に形成されている。発光管３１の両端部にはそれぞれソケット３２、３２が取付けられており、両ソケット３２、３２は、発光管３１の中央部３１ａに対して、点対称の位置に設けられている。発光管３１の中央部３１ａは、その他の部分に比して太径となっており、最冷点となっている。なお、ソケット３２、３２は、点灯装置４２に接続されて電力を供給される。また、平面らせん形蛍光灯３０は、器具本体４０に設けられているランプ支持バネ（図示省略）によって取付けられている。
【００１６】
以上、説明した照明器具１０によれば、環形蛍光灯２０の内側スペース４４に同様の照明光を発する平面らせん形蛍光灯３０を配設したので、点灯装置４１、４２により環形蛍光灯２０および平面らせん形蛍光灯３０を点灯させた際に、環形蛍光灯２０の内側に生じていた暗い部分を平面らせん形蛍光灯３０によって明るく照らすことができ、透過カバー４３を透過する照明光の輝度ムラの発生を抑制することができる。また、もともとある環形蛍光灯２０の内側スペース４４に平面らせん形蛍光灯３０を配したので、照明器具１０の大型化を回避することができる。
【００１７】
次に、本発明の第２実施形態の照明器具について、図面を用いて説明する。
図２（Ａ）は本発明の第２実施形態にかかる照明器具を下方から見た平面図、図２（Ｂ）は図２（Ａ）中Ｂ−Ｂ位置の断面図である。なお、前述した第１実施形態と共通する部位には同じ符号を付して、重複する説明を省略することとする。
【００１８】
図２に示すように、本発明の第２実施形態にかかる照明器具１０Ｂでは、環形蛍光灯２０と平面らせん形蛍光灯３０を同一平面上に配設した。すなわち、環形蛍光灯２０の発光管２１の水平方向中心軸と、平面らせん形蛍光灯３０の発光管３１の水平方向中心軸とが一致している（図２（Ｂ）中１点鎖線Ｌ）。
【００１９】
以上、説明した照明器具１０Ｂによれば、環形蛍光灯２０と平面らせん形蛍光灯３０を同一平面上に配設したので、平面らせん形蛍光灯３０のソケット３２に対応する透過カバー４３には、外側からは環形蛍光灯２０からの照明光が照射され、内側からは平面らせん形蛍光灯３０の照明光が照射されるので、透過カバー４３を透過する照明光の輝度ムラを無くすことができる。また、照明器具１０Ｂのコンパクト化を図ることができる。
【００２０】
次に、本発明の第３実施形態の照明器具について、図面を用いて説明する。
図３は本発明の第２実施形態にかかる照明器具を下方から見た平面図である。なお、前述した第１実施形態または第２実施形態と共通する部位には同じ符号を付して、重複する説明を省略することとする。
【００２１】
図３に示すように、本発明の第３実施形態にかかる照明器具１０Ｃでは、環形蛍光灯２０のソケット２３位置の内側に対向する場所以外の場所に平面らせん形蛍光灯３０のソケット３２を配設している。なお、図３に示すように、平面らせん形蛍光灯３０の両ソケット３２、３２を結ぶ直線は発光管３１の中央部３１ａを通るので、図１（Ａ）に示す位置関係から、平面らせん形蛍光灯３０を相対的に９０度旋回させた位置（図３の位置）がソケット２３とソケット３２が最も離れるので、もっとも望ましい。また、環形蛍光灯２０と平面らせん形蛍光灯３０との上下方向の位置関係は、図１に示されているように、上下方向にずれていてもよいし、図２に示されているように、同一水平面上に配置するようにしてもよい。
【００２２】
以上、説明した照明器具１０Ｃによれば、環形蛍光灯２０のソケット２３位置の内側に対向する場所以外の場所に平面らせん形蛍光灯３０のソケット３２を配設したので、透過カバー４３において照明光を発しないソケット２３、３２に対応する部分には、互いに他の蛍光灯２０、３０から照明光が照射され、透過カバー４３を透過する照明光の輝度ムラの発生を抑制することができる。
【００２３】
なお、本発明の照明器具は、前述した各実施形態に限定されるものでなく、適宜な変形，改良等が可能である。
例えば、前述した各実施形態において、環形蛍光灯２０として同一平面上に配された同心円の二重の発光管２１、２２を有するものを例示したが、本発明の照明器具１０はこれに限るものではない。例えば、１本の発光管からなる環形蛍光灯や、３本以上の発光管を有するものであってもよい。また、上下に同一円の発光管を複数本有するものであってもよい。
【図面の簡単な説明】
【００２４】
【図１】（Ａ）は本発明の第１実施形態にかかる照明器具の平面図、（Ｂ）は（Ａ）中Ｂ−Ｂ位置の断面図
【図２】（Ａ）は本発明の第２実施形態にかかる照明器具の平面図、（Ｂ）は（Ａ）中Ｂ−Ｂ位置の断面図
【図３】本発明の第３実施形態にかかる照明器具の平面図
【符号の説明】
【００２５】
１０、１０Ｂ、１０Ｃ  照明器具
２０  環形蛍光灯
２３  環形蛍光灯のソケット
３０  平面らせん形蛍光灯
３２  平面らせん形蛍光灯のソケット
４１、４２  点灯装置
４３  透過カバー
４４  スペース
【図１】
2009170255.tif 000003
【図２】
2009170255.tif 000004
【図３】
2009170255.tif 000005